(57)【要約】【課題】  被梱包物の高さや大きさ等に拘わらず、被梱包物を確実に支持することができる梱包用箱を提供する。【解決手段】  外箱１０の相対向する内壁面であって、外箱１０の蓋１１に対して近接離反する方向の複数箇所に設けられた一対の支持部６ａによって、被梱包物９を上から覆うように配置する梱包用材料１ｂの脚部５ａに設けられた被支持部６ｂが支持されることにより、被梱包物９をしっかりと挟み込むことができる。【選択図】    図５
2006044670.tif 000002
【特許請求の範囲】
【請求項１】
一面に開閉自在の蓋を有して被梱包物を収納する筐体状の外箱と、
中央部に窓を有してこの窓を覆うように弾性フィルムが固定された枠体を有し、前記被梱包物を収納した前記外箱に収納されて固定されることにより、その外箱に収納された前記被梱包物を前記弾性フィルムの弾性力によって位置固定するようにした梱包用材料と、
を備え、
前記外箱の相対向する二つの内壁面には前記蓋に対して近接離反する方向の複数箇所に一対の支持部が設けられ、
前記枠体の相対向する二辺には前記支持部に支持される一対の被支持部が設けられ、
前記枠体の被支持部は、前記外箱内で前記蓋に対して近接離反する複数位置で前記外箱の支持部に支持されることを特徴とする梱包用箱。
【請求項２】
前記枠体は、相対向する二辺から直角に設けられた一対の脚部を有し、これらの脚部に前記被支持部が設けられていることを特徴とする請求項１記載の梱包用箱。
【請求項３】
前記支持部と前記被支持部は、互いに着脱自在に連結される面ファスナーによって形成されていることを特徴とする請求項１又は２記載の梱包用箱。
【請求項４】
前記一対の脚部には、これらの脚部間の空間を仕切部材によって仕切る仕切部が設けられていることを特徴とする請求項２記載の梱包用箱。
【請求項５】
前記仕切部は、一方の脚部に一端が固定された第一の仕切部材と、他方の脚部に一端が固定された第二の仕切部材と、前記第一の仕切部材の自由端と前記第二の仕切部材の自由端とを着脱自在に連結する連結部と、から構成されていることを特徴とする請求項４記載の梱包用箱。
【請求項６】
前記仕切部は、単一の前記仕切部材と、この仕切部材の両端を前記一対の脚部の長手方向の複数箇所で着脱自在に連結する一対の連結部と、から構成されていることを特徴とする請求項４記載の梱包用箱。
【発明の詳細な説明】
【技術分野】
【０００１】
本発明は、商品を輸送する際に用いる梱包用箱に関する。
【背景技術】
【０００２】
従来、パソコンやＥＣＲ（Electronic Cash Register：電子式キャッシュレジスター）等の電子機器等を輸送する際、これらを輸送時の衝撃や振動から保護するための梱包用材料として、梱包用材料の板材に弾性フィルムを貼付したものが提案されている（例えば、特許文献１参照）。
【０００３】
この発明は、梱包用材料に貼付されている弾性フィルムで被梱包物を上下または左右方向から挟むことにより、その弾性フィルムの張力によって被梱包物を支持するものである。
【０００４】
すなわち、例えば、図９に示されているように、梱包用材料５１を収める外箱５０の底面と平行の平面を有する弾性フィルム５３の上に被梱包物５４を載せ、その上から被梱包物５４を弾性フィルム５５で覆うように梱包用材料５２を被せて外箱５０に収納する。これにより、被梱包物５４は上下の梱包用材料５１，５２の弾性フィルム５３，５５により支持される。この弾性フィルム５３，５５の張力が、外箱５０が受ける振動等を吸収することで、被梱包物の振動等による破損等を防止している。なお、梱包用材料５１と梱包用材料５２とは、同じ梱包用材料であり、外箱５０に収める向きが異なるだけである。
【０００５】
ところで、被梱包物が張力のある弾性フィルムにより支持され、輸送等のときに受ける衝撃や振動等による破損等を防止するという効果を十分に受けるためには、被梱包物を上下の弾性フィルムでしっかりと挟み込む必要がある。例えば、被梱包物を梱包用材料によって上下から挟み込んだ状態で、上から被せた梱包用材料の脚部が外箱の高さと略等しいか、少し高いだけのような場合は、外箱の蓋が閉まることで梱包用材料を上からさらに押さえつけるような状態になるので、被梱包物は上下の弾性フィルムでしっかりと挟み込まれることになる。
【０００６】
【特許文献１】特開２００１−１９２０６７公報
【発明の開示】
【発明が解決しようとする課題】
【０００７】
しかしながら、被梱包物の高さ、大きさは、各々異なるものである。また、外箱も、例えば何度も輸送に使用することを意図しているような場合は特に、各被梱包物に合わせて外箱が各別に用意されるわけではない。そのため、例えば高さがあまりないような被梱包物や、例えば比較的小さな被梱包物の場合、被梱包物に合わせて梱包用材料を被せても、外箱の高さとの差が大きく、被せた梱包用材料と外箱の蓋との間に空間ができてしまう。この状態では、被せた梱包用材料が外箱の中で動いてしまうため、被梱包物を上から弾性フィルムでしっかりと挟み込むことができない。すなわち、このままでは、外箱が受ける振動等を吸収することができず、被梱包物に余計な振動等が加わってしまうなどの問題があった。
【０００８】
また、被梱包物の部品等の付属品等は、例えば、被梱包物と別に輸送すると別途余計な輸送費がかかる、本体に同梱しておいた方が便利である、等の理由から、通常は被梱包物と同じ外箱に梱包されて輸送される。
【０００９】
しかし、特許文献１において開示されている発明を利用して輸送する場合、被梱包物は上下又は左右からフィルムによって挟み込まれている。従って、被梱包物の付属品等は、被梱包物に被せた梱包用材料における脚部と外箱の蓋との間の空間に収めることになるが、付属品の大きさに比してこの空間が大きすぎる場合は、輸送中に付属品等がこの空間内を動き回ることになり、被梱包物に傷をつけたり、付属品等自身が傷ついてしまうといった問題点があった。
【００１０】
本発明は、被梱包物の高さや大きさ等に拘わらず、弾性フィルムによって被梱包物をしっかりと挟み込むことができる梱包用箱を提供することを目的とする。
【００１１】
また、本発明は、被梱包物に傷をつけたり、被梱包物の付属品等自身が傷ついてしまうことを防止することを目的とする。
【課題を解決するための手段】
【００１２】
本発明は、一面に開閉自在の蓋を有して被梱包物を収納する筐体状の外箱と、中央部に窓を有してこの窓を覆うように弾性フィルムが固定された枠体を有し、前記被梱包物を収納した前記外箱に収納されて固定されることにより、その外箱に収納された前記被梱包物を前記弾性フィルムの弾性力によって位置固定するようにした梱包用材料と、を備え、前記外箱の相対向する二つの内壁面には前記蓋に対して近接離反する方向の複数箇所に一対の支持部が設けられ、前記枠体の相対向する二辺には前記支持部に支持される一対の被支持部が設けられ、前記枠体の被支持部は、前記外箱内で前記蓋に対して近接離反する複数位置で前記外箱の支持部に支持される梱包用箱とした。
【発明の効果】
【００１３】
本発明の梱包用材料によれば、外箱の中で梱包用材料の高さを自由に調節することができるため、被梱包物の高さや大きさ等に拘わらず、被梱包物をしっかりと挟み込むことができる。
【発明を実施するための最良の形態】
【００１４】
本発明の実施の一形態を図１ないし図５に基づいて説明する。
【００１５】
図１は、外箱に、梱包用材料と被梱包物を収める順に表わした分解斜視図である。そこで、これらを含む全体構成について説明する。
【００１６】
外箱１０は、一面に開閉自在な蓋１１を有する筐体状の箱であり、一対の梱包用材料１ａ、１ｂ及び被梱包物９を収納する構造となっている。すなわち、外箱１０の底面に梱包用材料１ａの脚部５ａないし５ｄが接するように、弾性フィルム４が固定されている面を上にして梱包用材料１ａを外箱１０に入れる。次にこの梱包用材料１ａの弾性フィルム４の上に被梱包物９を載せて、弾性フィルム４が被梱包物９を覆うような向きで梱包用材料１ｂを外箱１０に入れる。その際、当該梱包用材料１ｂを被梱包物９に押し付けるようにすることで、被梱包物９は上下の弾性フィルム４によりしっかりと位置固定される。この状態で、脚部５ａ、５ｃに設けられた被支持部６ｂを外箱１０の内壁面に設けられた支持部６ａに接触させる。すなわち、外箱１０には下から梱包用材料１ａ、被梱包物９、梱包用材料１ｂの順に収める構造となっている。
【００１７】
次に、梱包用箱を構成する外箱１０と梱包用材料１について説明する。
【００１８】
図２は、収納した被梱包物を輸送するために使用される外箱１０の蓋１１を開けた状態で示す斜視図である。外箱１０の相対向する二つの内壁面には、蓋１１に対して近接離反する方向の複数箇所に一対の支持部６ａが設けられている。この支持部６ａには、面ファスナー、例えばマジックテープ（登録商標）が使用されている。蓋１１は外箱１０の側面から連続して形成されており、側面と蓋１１の境界である折れ線１２を中心に折り曲げることで開閉を行う構造となっている。フラップ１３は、折れ線１２と直交する方向に位置する相対向する側面に一体に形成されており、蓋１１の内側に折り込まれる。
【００１９】
図３は、本発明の梱包用材料１の一つの実施形態を示す展開図である。この例では、枠体２の中央部に窓３が設けられている。この窓３は、枠体２に固定されている弾性フィルム４で覆われている。枠体２の四辺には枠体２に直角方向となるように脚部５ａないし５ｄが設けられている。この枠体２は外箱１０に収納され、弾性フィルム４を通じて被梱包物９を支持固定する役割を有するものであることから、その四辺の大きさは、略外箱１０の開口部をなす四辺と略同じ大きさとなっている。なお、図３、図４に示す梱包用材料１では、枠体２の四辺に脚部が設けられているが、少なくとも相対する辺に脚部が設けられていれば足りる。
【００２０】
図４は、図３で表わした梱包用材料１の展開図を裏返して示した斜視図である。外箱１０にこの梱包用材料１を収めるにあたり、被梱包物９の上から被せるように入れる梱包用材料１ｂは、図４で表わされるような向きで収められることになる。なお、脚部５ａないし５ｄは、図３、図４に示すように、結合されない状態のままであっても良いし、これら同士が例えば糊付け等で互いに結合されていても良い。
【００２１】
脚部５ａ及び５ｃには、外箱１０の相対向する内壁面に設けられた支持部６ａとの間で何回でも着脱可能な被支持部６ｂが設けられている。例えば、図１に示されている被支持部６ｂには、支持部６ａと同様に、面ファスナー、例えばマジックテープ（登録商標）が使用されている。
【００２２】
なお、図１ないし図４においては、脚部５ａ及び５ｃに被支持部６ｂが設けられているが、互いに相対する辺であれば、脚部５ａ及び５ｃではなくても、例えば脚部５ｂ及び５ｄに設けてもかまわない。
【００２３】
図４に表わされているように、脚部５ｂ及び５ｄには、実施形態の一つとしての第一の仕切部材７ａ、第二の仕切部材８ａが設けられている。これは、被梱包物９の付属品等を被梱包物９と同じ梱包用箱に梱包して運ぶ際に、梱包用材料１ｂの上においた付属品等が、輸送中に大きく移動することを避けるべく、梱包用材料１ｂの脚部５ａないし５ｄによって囲われた空間を仕切るためのものである。
【００２４】
図５は、梱包用材料１と被梱包物９が外箱１０に収納された状態を一部を切り欠いた状態で示す斜視図である。上述したように、外箱１０の相対向する二つの内壁面に設けられた一対の支持部６ａに、梱包用材料１ｂの脚部５ａ、５ｃに設けられた被支持部６ｂが支持されている。この支持部６ａは、外箱１０の内壁面に、その上端付近から蓋１１に対して近接離反する方向に一定の高さをもって設けられており、この高さは、脚部５ａ、５ｃに設けられた被支持部６ｂの高さよりも高い。また、特に、本発明においては、支持部６ａ、被支持部６ｂに面ファスナー、例えばマジックテープ（登録商標）を使用している。この面ファスナー、例えばマジックテープ（登録商標）を使用すると、被支持部６ｂを支持部６ａの任意の位置に、簡易に接触させることができるので、外箱１０の中で様々な大きさを持つ被梱包物９に合わせて梱包用材料１ｂの高さを無段階に調節することができ、簡易に被梱包物９をしっかりと挟み込むことができる。
【００２５】
さらに、被梱包物９の大きさに合わせて被梱包物９を支持するために梱包用材料１ｂが被梱包物９を覆うと、支持部６ａ、被支持部６ｂに強い力がかかることになる。しかし、支持部６ａ、被支持部６ｂは、面ファスナー、例えばマジックテープ（登録商標）を使用し、いずれも外箱１０に対して近接離反する方向に一定幅をもって設けられているので、大きな面積で支持部にかかる力を分散させることができる。また、当該力は分散されるので、支持部６ａの特定の点にのみ力が集中することが少ないため、外箱を構成する素材の硬軟を問わず、使用することができる。
【００２６】
次に、梱包用材料１の仕切について説明する。図６は、仕切７、８が梱包用材料１の脚部５ｂと５ｄに保持されている状態を表わした斜視図であり、図７は、仕切７、８を用いて梱包用材料１を仕切った場合を示す斜視図である。
【００２７】
仕切７は、その一端を基部７ｂの部分で留具７ｅによって脚部５ｂに留められており、第一の仕切部材７ａは、折れ線７ｃを軸に自由に折り曲げることができるようになっている。仕切７の他端は自由端であり、仕切７を脚部５ｂに留めておくための一組の保持材７ｄが、第一の仕切部材７ａ及び脚部５ｂの相対向する部分に設けられている。また、第一の仕切部材７ａの保持材７ｄが設けられているのと反対側の面には、仕切８と結合させる場合の留具となる保持部材７ｆが設けられている。
【００２８】
一方、仕切８は、その一端を基部８ｂの部分で留具８ｅによって脚部５ｄに留められており、第ニの仕切部材８ａは、折れ線８ｃを軸に自由に折り曲げることができるようになっている。仕切８の他端は自由端であり、仕切８の自由端を脚部５ｄに留めておくための一組の保持材８ｄが、第ニの仕切部材８ａ及び脚部５ｄの相対向する部分に設けられている。
【００２９】
仕切７、８の自由端は、特に梱包用材料１を仕切る必要がない場合には、自由に接触或いは離反させることが可能な保持材７ｄ、８ｄによってそれぞれ脚部５ｂ、５ｄに保持されており、梱包用材料１の取り扱い時に邪魔にならないようにされている。
【００３０】
次に、梱包用材料１を仕切る必要がある場合について説明する。仕切７は、第一の仕切部材７ａの自由端及び脚部５ｂにある保持材７ｄによって留められているが、梱包用材料１を仕切る必要がある場合には、脚部５ｂに設けている一方の保持材７ｄから第一の仕切部材７ａの自由端に設けている他方の保持材７ｄをはがして、図６に示す矢印Ａの方向に移動させる。このとき、基部７ｂは、留具７ｅによって脚部５ｂに留められているので、第一の仕切部材７ａが矢印Ａの方向へ移動しても基部７ｂは動かない。そのため、第一の仕切部材７ａは折れ線７ｃを軸に動くことになる。
【００３１】
同様に、仕切８についても、脚部５ｄに設けている一方の保持材８ｄから第二の仕切部材８ａの自由端に設けている他方の保持材８ｄをはがし、図５に示す矢印Ｂの方向に移動させる。なお、基部８ｂは、留具８ｅによって脚部５ｄに留められているので、第二の仕切部材８ａが矢印Ｂの方向へ移動しても基部８ｂは動かず、第二の仕切部材８ａは折れ線８ｃを軸に動くことになる。
【００３２】
そして、第一の仕切部材７ａ及び第二の仕切部材８ａが脚部５ｂ及び脚部５ｄと互いに略直角に位置すると、第一の仕切部材７ａ及び第二の仕切部材８ａは互いにその自由端を重ね合わせることになる。これにより、第一の仕切部材７ａの保持部材７ｆと第二の仕切部材８ａの他方の保持材８ｄを重ね合わせて梱包用材料１の仕切とすることができる。
【００３３】
図８は梱包用材料１の仕切の第２の実施形態を示し、（ａ）は梱包用材料３０の全体を示す斜視図、（ｂ）は梱包用材料３０とは別体の仕切部材３１の斜視図である。梱包用材料３０の脚部５ａないし５ｄを枠体２と直角方向となるように立ち上げたときに、脚部５ｂと５ｄの内側を向いた面に、例えば脚部５ｂ、５ｄの長手方向の長さと略同じ長さ分それぞれ連結部材３２ａが設けられている。一方、梱包用材料３０の脚部を立ち上げることで作られる空間Ｓを仕切る部材である仕切部材３１は、細長い板状の部材であり、その長さは、脚部５ａ、５ｃの長さと略同一である。また、連結部材３２ｂ両端の領域３１ａ，３１ｂは折り曲げ自在となっている。なお、この領域３１ａ、３１ｂの長さは、連結部材３２ｂの大きさに合わせて決まる。また、この仕切部材３１は、例えば、ダンボール、プラスチックまたは金属材等により形成される。
【００３４】
この両端の領域３１ａ，３１ｂには、表裏両面に連結部材３２ｂが設けられている。連結部材３２ｂの大きさは連結部材３２ａに十分に接触できるだけの大きさが確保でき、かつ、空間Ｓを任意の広さで仕切ることができるような大きさであれば、特にその大きさは問わない。また、このように表裏両面に連結部材３２ｂを設けたのは、空間Ｓを任意の広さで仕切ることを可能とするために、両端の領域３１ａ、３１ｂのいずれの面であっても梱包用材料３０の連結部材３２ａと接着させることができるようにするためである。また、脚部５ｂ、５ｄの連結部材３２ａ及び両端の領域３１ａ、３１ｂの連結部材３２ｂは、本実施形態の場合、面ファスナー、例えばマジックテープ（登録商標）が使用されており、互いに着脱自在となっている。
【００３５】
本実施形態では、仕切部材３１を使用して以下のように梱包用材料３０が仕切られる。すなわち、梱包用材料３０を構成する脚部５ａ、５ｃと平行となるように仕切部材３１を置き、折り曲げ自在な両端の領域３１ａ、３１ｂに設けられている連結部材３２ｂを、脚部５ｂ、５ｄに設けられた連結部材３２ａに接着させる。これにより、空間Ｓを任意の広さで仕切ることができる。
【００３６】
本願発明は以上のような構成を有していることから、本願の梱包用箱は様々な被梱包物に対応することができ、１回限りの使用に止まらず梱包用箱の複数回のリユースを可能にしている。
【図面の簡単な説明】
【００３７】
【図１】本発明の実施の一形態である外箱に、梱包用材料と被梱包物を収める順に表わした分解斜視図である。
【図２】外箱の蓋を開けた状態で示す斜視図である。
【図３】本発明の梱包用材料の一つの実施例を示す展開図である。
【図４】梱包用材料の展開図を裏返して示した斜視図である。
【図５】梱包用材料と被梱包物が外箱に収納された状態を一部を切り欠いた状態で示す斜視図である。
【図６】仕切部材が脚部に保持されている状態を示す斜視図である。
【図７】仕切部材を用いて梱包用材料を仕切った状態を示す斜視図である。
【図８】仕切部材の第２の実施形態を示し、（ａ）は梱包用材料の全体を示す斜視図、（ｂ）は仕切部材の斜視図である。
【図９】背景技術を説明するための分解斜視図である。
【符号の説明】
【００３８】
１…梱包用材料、３…窓、４…弾性フィルム、５…脚部、６ａ…支持部、６ｂ…被支持部、７…仕切部、８…仕切部、９…被梱包物、１０…外箱、１１…蓋
【図１】
2006044670.tif 000003
【図２】
2006044670.tif 000004
【図３】
2006044670.tif 000005
【図４】
2006044670.tif 000006
【図５】
2006044670.tif 000007
【図６】
2006044670.tif 000008
【図７】
2006044670.tif 000009
【図８】
2006044670.tif 000010
【図９】
2006044670.tif 000011